(57)【要約】【課題】光記録媒体の種類によって選択的に使用される複数の光学系を有する光ピックアップ装置において、製造時に容易且つ適切に波面収差の調整を行うことができる構造を有する光ピックアップ装置を提供する。【解決手段】光ピックアップ装置１は、光源から出射される光を光記録媒体へと導くとともに、光記録媒体で反射される光を受光部へと導く光学系を２つ有する。２つの光学系のうちの一方の光学系においては、その光学系を構成する光学部材のうち対物レンズアクチュエータに搭載されない光学部材が、光源２１とともにユニット化されてベース２に搭載される。また、各光学系が有する２つの対物レンズは、それぞれが有するコマ収差の方向が同一方向に揃えられて対物レンズアクチュエータのレンズホルダに搭載される。【選択図】図２
2009140561.tif 000002
【特許請求の範囲】
【請求項１】
光源から出射される光を光記録媒体へと導くとともに、前記光記録媒体で反射される光を受光部へと導く光学系を複数有する光ピックアップ装置であって、
前記複数の光学系にそれぞれ１つ含まれ、前記光源から出射される光を前記光記録媒体の情報記録面に集光する対物レンズと、
前記複数の光学系が搭載されるベースと、
前記ベースに搭載され、複数ある前記対物レンズを全て保持するレンズホルダを有し、前記レンズホルダを移動することによって前記対物レンズを移動可能とするアクチュエータと、を備え、
前記複数の光学系のうちの１つを除く各光学系において、その光学系を構成する光学部材のうち前記アクチュエータに搭載されない光学部材が、前記光源とともにユニット化されて前記ベースに搭載され、
複数ある前記対物レンズは、それぞれが有するコマ収差の方向が同一方向に揃えられて前記レンズホルダに搭載されることを特徴とする光ピックアップ装置。
【請求項２】
前記光学系には、前記光源から出射される光を反射して前記情報記録面に対して直交する方向へと向かわせるミラーが備えられ、
前記光学系において前記光源とともにユニット化される前記光学部材は、前記ミラー、前記光源から出射される光が前記ミラーへと至る間に配置される光学部材、及び前記光記録媒体で反射される光が前記ミラーから前記受光部へと至る間に配置される光学部材であることを特徴とする請求項１に記載の光ピックアップ装置。
【請求項３】
前記光学系の数は２つであることを特徴とする請求項１又は２に記載の光ピックアップ装置。
【請求項４】
前記２つの光学系のうち、一方はＢＤ規格に従う光記録媒体に対して使用される光学系であって、他方は、ＣＤ規格及びＤＶＤ規格に従う光記録媒体に対して使用される光学系であることを特徴とする請求項３に記載の光ピックアップ装置。
【発明の詳細な説明】
【技術分野】
【０００１】
本発明は、光記録媒体に光を照射して情報の読み取りや書き込みを行う光ピックアップ装置に関し、より詳細には、光記録媒体の種類によって選択的に使用される複数の光学系を有する光ピックアップ装置の構成に関する。
【背景技術】
【０００２】
コンパクトディスク（以下、ＣＤという。）やデジタル多用途ディスク（以下、ＤＶＤという。）といった光記録媒体が普及している。更に、近年、光記録媒体に記録される情報量を増やすための研究が進められ、例えば、ＨＤ−ＤＶＤやブルーレイディスク（以下、ＢＤという。）といった光記録媒体も実用化されている。このような光記録媒体からの情報の読み取りや光記録媒体への情報の書き込みは、光ピックアップ装置を用いて行われる。
【０００３】
光ピックアップ装置においては、情報の読み取りや書き込みの対象となる光記録媒体の種類が異なると、対物レンズの開口数（ＮＡ）や光源の波長を異なったものとする必要が生じる場合がある。例えば、ＣＤに対しては、対物レンズのＮＡが０．４５、光源の波長が７８０ｎｍ、ＤＶＤに対しては、対物レンズのＮＡが０．６５、光源の波長が６５０ｎｍ、ＢＤに対しては、対物レンズのＮＡが０．８５、光源の波長が４０５ｎｍ、が用いられる。なお、ここでいう対物レンズは、光源から出射された光を光記録媒体の情報記録面に集光するためのレンズのことを指している。
【０００４】
このように光記録媒体の種類によって、対物レンズのＮＡや光源の波長を異なったものとする必要が生じる場合があるために、光記録媒体の種類に応じて異なる光ピックアップ装置を用いることも考えられる。しかし、光記録媒体の種類に応じて異なる光ピックアップ装置を使用する構成とするとコスト面等で不利が生じる。このために、従来、１つの光ピックアップ装置で複数種類の光記録媒体に対して情報の読み取りや情報の書き込みを行える光ピックアップ装置が開発されている。
【０００５】
そして、複数種類の光記録媒体に対応する光ピックアップ装置においては、光源から出射される光を光記録媒体の情報記録面に導くとともに、光記録媒体で反射される光を受光部へと導く光学系を複数有し、情報の読み取りや書き込みの対象とされる光記録媒体の種類によって、使用する光学系を使い分ける構成のものがある（例えば、特許文献１や２参照）。
【０００６】
特許文献１に示される光ピックアップ装置においては、対物レンズを二軸方向に駆動調整する二軸アクチュエータがユニット化（特許文献１においては、ユニット化された二軸アクチュエータを二軸ブロックと呼んでいる）されており、光学系毎に異なる二軸ブロックを設ける構成となっている。このような構成の場合、光学系の数の増加とともに二軸ブロックの数も増えるために、光ピックアップ装置が大型化する等の問題がある。
【０００７】
この点、特許文献２の光ピックアップ装置では、１つのレンズホルダに２つの対物レンズを搭載して、光学系の数を２つとした場合でも、対物レンズを搭載する二軸アクチュエータの数は１つとしている。このために、光学系の数を２つとした場合でも光ピックアップ装置の大型化を抑制できる。
【特許文献１】特開平１１−１８５２６７号公報
【特許文献２】特開２０００−４８３７３号公報
【発明の開示】
【発明が解決しようとする課題】
【０００８】
しかしながら、特許文献２に示される構成の光ピックアップ装置においては、次のような問題がある。
【０００９】
この構成の光ピックアップ装置では、２つの対物レンズのうち、一方の対物レンズについて波面収差（コマ収差や非点収差）が最適となるように調整しても、他方で波面収差が発生する場合がある。このような点を考慮して、特許文献２の光ピックアップ装置においては、２つの対物レンズのうち、少なくとも一方の対物レンズを傾き調整してレンズホルダに固着する構成としている。なお、対物レンズの傾き調整を行うにあたっては、光ピックアップ装置に搭載される光源ではなく、別途用意される基準光源を用いることになっている。
【００１０】
しかし、この場合には、基準光源と実際に光ピックアップ装置に搭載される光源とでは同条件とはならない場合があり、波面収差の抑制が十分できない場合がある。この点、実際に光ピックアップ装置に搭載される光源を使用して対物レンズの傾き調整を行えばよいが、調整を行うためのスペースが十分でない等、作業が困難であるという問題がある。また、レンズホルダに搭載される対物レンズの傾き調整は、非常に小さい部品の角度を調整することになるために、その意味でも作業性が悪いといった問題がある。
【００１１】
以上の点を鑑みて、本発明の目的は、光記録媒体の種類によって選択的に使用される複数の光学系を有する光ピックアップ装置において、製造時に容易且つ適切に波面収差の調整を行うことができる構造を有する光ピックアップ装置を提供することである。
【課題を解決するための手段】
【００１２】
上記目的を達成するために本発明は、光源から出射される光を光記録媒体へと導くとともに、前記光記録媒体で反射される光を受光部へと導く光学系を複数有する光ピックアップ装置であって、前記複数の光学系にそれぞれ１つ含まれ、前記光源から出射される光を前記光記録媒体の情報記録面に集光する対物レンズと、前記複数の光学系が搭載されるベースと、前記ベースに搭載され、複数ある前記対物レンズを全て保持するレンズホルダを有し、前記レンズホルダを移動することによって前記対物レンズを移動可能とするアクチュエータと、を備え、前記複数の光学系のうちの１つを除く各光学系において、その光学系を構成する光学部材のうち前記アクチュエータに搭載されない光学部材が、前記光源とともにユニット化されて前記ベースに搭載され、複数ある前記対物レンズは、それぞれが有するコマ収差の方向が同一方向に揃えられて前記レンズホルダに搭載されることを特徴としている。
【００１３】
これによれば、光ピックアップ装置に搭載される一部の光源や光学系をユニット化する構成としており、光ピックアップ装置の製造時において、ユニット化された部分を動かして波面収差の調整を行える。また、光ピックアップ装置に搭載される複数の対物レンズについて、それぞれが有するコマ収差の方向を同一方向に揃えてアクチュエータに搭載する構成としている。このために、光ピックアップ装置の製造時におけるコマ収差の調整について、１つの光学系について最良となるように調整を行えば、他の光学系についてもコマ収差の抑制が可能となる。また、この光ピックアップ装置では、製造時の波面収差の調整を光ピックアップ装置に搭載される光源から出射される光を用いて行うことが可能である。
【００１４】
また、本発明は、上記構成の光ピックアップ装置において、前記光学系には、前記光源から出射される光を反射して前記情報記録面に対して直交する方向へと向かわせるミラーが備えられ、前記光学系において前記光源とともにユニット化される前記光学部材は、前記ミラー、前記光源から出射される光が前記ミラーへと至る間に配置される光学部材、及び前記光記録媒体で反射される光が前記ミラーから前記受光部へと至る間に配置される光学部材であることとしても良い。
【００１５】
また、本発明は、上記構成の光ピックアップ装置において、前記光学系の数は２つであっても構わない。そして、前記２つの光学系のうち、一方はＢＤ規格に従う光記録媒体に対して使用される光学系であって、他方は、ＣＤ規格及びＤＶＤ規格に従う光記録媒体に対して使用される光学系であることとしてもよい。
【発明の効果】
【００１６】
本発明によれば、光記録媒体の種類によって選択的に使用される複数の光学系を有する光ピックアップ装置において、製造時に容易且つ適切に波面収差の調整を行うことができる構造を有する光ピックアップ装置を提供できる。
【発明を実施するための最良の形態】
【００１７】
以下、本発明の光ピックアップ装置の実施形態について、図面を参照しながら詳細に説明する。
【００１８】
図１は、本実施形態の光ピックアップ装置を上側から見た場合の概略平面図である。また、図２は、本実施形態の光ピックアップ装置を下側から見た場合の概略平面図である。なお、本実施形態の光ピックアップ装置１の下面側には、実際には金属カバーが取り付けられるが、図２おいては、説明の便宜上、金属カバーが外された状態を示している。
【００１９】
本実施形態の光ピックアップ装置は、ＢＤ規格に従う光記録媒体（単にＢＤと表現する場合がある）、ＤＶＤ規格に従う光記録媒体（単にＤＶＤと表現する場合がある）、及びＣＤ規格に従う光記録媒体（単にＣＤと表現する場合がある）に対して、情報の読み取りと情報の書き込みを行えるように構成されている。なお、光ピックアップ装置１によって情報の読み取りや書き込みが行われる場合、図１を参照して、光記録媒体は紙面手前側に配置される。
【００２０】
図１及び図２に示すように、本実施形態の光ピックアップ装置１には、後述する各種の光学部材や対物レンズアクチュエータ３０等を搭載するスライドベース２が備えられる。スライドベース２は樹脂によって形成され、光ピックアップ装置１が平行配置される２本のガイド棒（図示せず）に沿って摺動可能となるように、ガイド棒保持部１ａ、１ｂを有している。
【００２１】
なお、ガイド棒保持部１ａは、それぞれ１つの貫通孔（図示せず）を有して対向配置される２つの部分からなって、２つの貫通孔を貫通する１本のガイド棒を摺動可能に保持する。また、ガイド棒保持部１ｂは、断面視略コの字状に形成され、１本のガイド棒を摺動可能に保持する。
【００２２】
また、本実施形態の光ピックアップ装置１は、光源から出射された光を光記録媒体へと導くとともに、光記録媒体で反射される光を受光部へと導く光学系を２つ有する。具体的には、光ピックアップ装置１は、ＢＤ用の光学系と、ＤＶＤ／ＣＤ（ＤＶＤ及びＣＤ）用の光学系と、の２つの光学系を有し、これら２つの光学系が選択的に使用される。これら２つの光学系について、主に図１及び図２を参照しながら説明する。
【００２３】
まず、ＢＤ用の光学系について説明する。ＢＤ用の光学系は、第１レーザダイオード１１から出射されるレーザ光を光記録媒体へと導くとともに、光記録媒体で反射される反射光を第１フォトディテクタ１９へと導く。ＢＤ用の光学系は、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、を備える。
【００２４】
なお、第１レーザダイオード１１は、波長４０５ｎｍ帯のレーザ光を出射する光源である。また、第１フォトディテクタ１９は、入射した光信号を電気信号に変換して出力する受光部である。第１フォトディテクタ１９でから出力された電気信号は、図示しない信号処理部によって処理されて、再生信号や、フォーカスエラー信号や、トラッキングエラー信号等となる。
【００２５】
第１レーザダイオード１１から出射したレーザ光は、所定の回折格子が形成された回折素子１２に入射し、主ビームと２つの副ビームとに分けられる。回折素子１２から出射したレーザ光は、偏光ビームスプリッタ１３で反射され、第１コリメートレンズ１４に送られる。
【００２６】
第１コリメートレンズ１４は、コリメートレンズ駆動手段２０によって光軸方向（図２に示す矢印の方向）に移動可能となっており、その位置をいずれとするかによって、第１対物レンズ１７に入射するレーザ光の収束発散状態を変化させる。このように第１コリメートレンズ１４を光軸方向に移動可能とするのは、球面収差の補正を行えるようにするためである。
【００２７】
コリメートレンズ駆動手段２０は、第１コリメートレンズ１４を光軸方向に移動できる構成であれば、どのような構成でも構わないが、例えば図３に示すような構成とできる。図３は、本実施形態のコリメートレンズ駆動手段２０の構成を示す概略斜視図である。図３に示すように、コリメートレンズ駆動手段２０は、ベース２０１と、可動部２０２と、２本のガイドシャフト２０３ａ、２０３ｂと、モータ２０４と、リードスクリュ２０５と、リードナット２０６と、を備える。
【００２８】
ベース２０１は、コリメートレンズ駆動手段２０を構成する各種部材を搭載し、ビス１８によってスライドベース２（図２参照）に固定される。可動部２０２には、コリメートレンズ１４を保持する保持部と、リードナット２０６を保持する保持部と、が形成される。また、可動部２０２には、２本のガイドシャフト２０３ａ、２０３ｂを貫通できるように、２つの貫通孔も形成されている。ガイドシャフト２０３ａ、２０３ｂは、光軸と平行となるように配置される。モータ２０４はステッピングモータよりなる。リードスクリュ２０５は、モータ２０４の出力軸に直接接続され、可動部２０２の保持部に保持されるリードナット２０６と噛合する。
【００２９】
このために、モータ２０４の回転にともなってリードスクリュ２０５が回転し、リードスクリュ２０５の回転によってリードナット２０６が搬送される。そして、リードナット２０６の搬送にともなって可動部２０２もガイドシャフト２０３ａ、２０４に沿って移動する。これにより、第１コリメートレンズ１４の光軸方向の位置を調整できる。
【００３０】
第１コリメートレンズ１４を出射したレーザ光は、偏光ビームスプリッタ１３と協働して光アイソレータとして機能する１／４波長板１５を通過し、第１立ち上げミラー１６によって反射され、その向きを光記録媒体の情報記録面に対して直交する方向とされて第１対物レンズ１７に入射する。第１対物レンズ１７は、入射したレーザ光を光記録媒体の情報記録面に集光する。
【００３１】
光記録媒体で反射されたレーザ光は、第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過したレーザ光は、非点収差を付与する機能を有する第１シリンドリカルレンズ１８を透過して、第１フォトディテクタ１９の受光面に集光する。
【００３２】
次に、ＤＶＤ／ＣＤ用の光学系について説明する。ＤＶＤ／ＣＤ用の光学系は、第２レーザダイオード２１から出射されるレーザ光を光記録媒体へと導くとともに、光記録媒体で反射される反射光を第２フォトディテクタ２７へと導く。ＤＶＤ／ＣＤ用の光学系は、ハーフミラー２２と、第２コリメートレンズ２３と、第２立ち上げミラー２４と、第２対物レンズ２５と、第２シリンドリカルレンズ２６と、を備える。
【００３３】
なお、第２レーザダイオード２１は、波長６５０ｎｍ帯のレーザ光と、波長７８０ｎｍ帯のレーザ光と、を切り換えて出射できる光源である。このような光源は、例えば、いわゆるモノリシック型のレーザダイオードやハイブリット型のレーザダイオードによって実現される。また、第２フォトディテクタ２７は、入射した光信号を電気信号に変換して出力する受光部である。第２フォトディテクタ２７から出力された電気信号は、図示しない信号処理部によって処理されて、再生信号や、フォーカスエラー信号や、トラッキングエラー信号等となる。
【００３４】
第２レーザダイオード２１から出射したレーザ光は、ハーフミラー２２で反射されて第２コリメートレンズ２３に送られ、平行光に変換される。第２コリメートレンズ２３から出射されたレーザ光（平行光）は、第２立ち上げミラー２４で反射され、その向きを光記録媒体の情報記録面に対して直交する方向とされて第２対物レンズ２５に入射する。第２対物レンズ２５は、入射したレーザ光を光記録媒体の情報記録面に集光する。
【００３５】
光記録媒体で反射されたレーザ光は、第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光する。
【００３６】
なお、ここで示した光ピックアップ装置１の光学系の構成は、一例に過ぎず、本発明の目的を逸脱しない範囲で、当然、種々の変更が可能である。
【００３７】
ところで、上述の第１対物レンズ１７と第２対物レンズ２５とは、対物レンズアクチュエータ３０に搭載されている。そして、これにより、第１対物レンズ１７と第２対物レンズ２５とはフォーカス方向とトラッキング方向とに移動できる。このため、光ピックアップ装置１においては、フォーカス制御及びトラッキング制御が可能となっている。
【００３８】
なお、フォーカス方向とは、対物レンズ１７、２５が光記録媒体に対して接離する方向であり、トラッキング方向とは、円盤状の光記録媒体の半径方向と平行な方向である。また、フォーカス調整とは、第１対物レンズ８又は第２対物レンズ１５の焦点位置が常に光記録媒体の情報記録面に合うように行う調整のことで、トラッキング調整とは、情報記録面に形成されるビームスポットの位置が常に光記録媒体に形成されるトラックに追従するように行う調整のことである。
【００３９】
また、対物レンズアクチュエータ３０の構成は、第１対物レンズ１７と第２対物レンズ２５とをフォーカス方向やトラッキング方向に移動できれば、その構成は特に限定されるものではない。本実施形態においては、対物レンズアクチュエータ３０は、図４に示すような構成とされている。なお、図４は、本実施形態の対物レンズアクチュエータ３０の構成を示す概略斜視図である。
【００４０】
図４において、対物レンズアクチュエータ用のベース３１（以下、アクトベースと表現する）は、強磁性を有する金属からなる。アクトベース３１には、そのほぼ中央にレーザ光を通過させる貫通孔（図示せず）が形成されている。そして、この貫通孔の上に、その詳細は後述するレンズホルダ３２が配置される。また、アクトベース２１上には、レンズホルダ３２を挟むように所定間隔をあけて対向配置される一対の永久磁石３３ａ、３３ｂが立設されている。
【００４１】
永久磁石３３ａ、３３ｂは、同一の極（Ｎ極又はＳ極）が向かい合うように配置されている。また、永久磁石３３ａ、３３ｂのそれぞれの外面には、アクトベース３１から折曲形成されたヨーク３１ａ、３１ｂが磁着された状態となっている。
【００４２】
レンズホルダ３２は、第１対物レンズ１７を保持する保持部と、第２対物レンズ２５を保持する保持部と、を有し、２つの対物レンズ１７、２５を並んだ状態で保持するようになっている。これらの保持部に保持される第１対物レンズ１７と第２対物レンズ２５とは、それぞれが有するコマ収差の方向が揃った状態となるように、レンズホルダ３２に搭載される。なお、２つの対物レンズ１７、２５のコマ収差の方向を揃える理由については後述する。
【００４３】
また、レンズホルダ３２には、第１レーザダイオード１１及び第２レーザダイオード２１から出射されたレーザ光が第１対物レンズ１７及び第２対物レンズ２５に入射できるように、それぞれ図示しない貫通孔が形成されている。
【００４４】
レンズホルダ３２の側壁の内側には、図示しないフォーカスコイルがその側壁に沿うように巻回され、接着剤等で固着されている。また、レンズホルダ３２の側壁のうち、永久磁石３３ａと対向する側壁の外側には、左右に一対並んだトラッキングコイル３４ａ、３４ｂが形成され、永久磁石３３ｂａと対向する側壁の外側には、左右に一対並んだトラッキングコイル３４ｃ、３４ｄが接着剤等で固着されている。また、トラッキングコイル３４ａ及びトラッキングコイル３４ｃ、並びに、トラッキングコイル３４ｂ及びトラッキングコイル３４ｄは、それぞれ対称位置に配置されている。なお、４つのトラッキングコイル３４ａ〜３４ｄは、全体として１本の線で繋がっている。
【００４５】
アクトベース３１上には、２つの永久磁石３３ａ、３３ｂのうち、永久磁石３３ｂに磁着されたヨーク３１ｂの外面側と接し、平面視略コの字状に形成されるゲルボックス３６が固定される。また、アクトベース３１上には、ゲルボックス３６の外面に隣接配置される回路基板３７が立設された状態となっている。
【００４６】
この回路基板３７には、左右両側において、それぞれ上下方向に２箇所ずつ、導電性を有するワイヤ３５の各一端がハンダ付けにて接続されている。ゲルボックス３６には挿通孔３６ａ、３６ｂが形成されている。挿通孔３６ａ、３６ｂのそれぞれには、ワイヤ３５が２本ずつ挿通されている。なお、各挿通孔３６ａ、３６ｂ内には、シリコンを主成分とするゲル材が充填されている。このゲル材により、レンズホルダ３２の駆動に応じて各ワイヤ３５に生じた振動が減衰される。
【００４７】
ワイヤ３５の他端は、それぞれ、レンズホルダ３２の側壁に設けられるワイヤ固定部３８に、ハンダ付けにて固着されている。これにより、レンズホルダ３２は、４本のワイヤ３５によってアクトベース３１に対して揺動可能に支持された状態となっている。また、ワイヤ固定部３８に固着されたワイヤ３５のうち、上側２本は、フォーカスコイルと電気的に接続された状態となっている。また、下側２本のワイヤ３５は、トラッキングコイル３４ａ〜３４ｄと電気的に接続された状態となっている。
【００４８】
このように構成される対物レンズアクチュエータ３０を用いてフォーカス調整及びトラッキング調整を行う場合には、回路基板３７からワイヤ３５を通じてフォーカスコイル及びトラッキングコイルに電流が供給される。そして、永久磁石３３ａ、３３ｂによって形成される磁界との電磁気的な作用により、レンズホルダ３２がフォーカス方向及びトラッキング方向に変位される。コイル（フォーカスコイル、トラッキングコイル）に供給される電流の大きさ及び向きの調整により、レンズホルダ３２のフォーカス方向及びトラッキング方向の変位が調整される。
【００４９】
図２を参照して、光ピックアップ装置１において、第１レーザダイオード１１、ＢＤ用の光学系を構成する光学素子のうち第１対物レンズ１７を除く光学部材、第１フォトディテクタ１９、及び第２フォトディテクタ２７は、スライドベース２上に個々に（ユニットかれることなくバラバラに）搭載されている。一方、第２レーザダイオード２１、ＤＶＤ／ＣＤ用の光学系を構成する光学素子のうち第２対物レンズ２５を除く光学部材は、例えば樹脂によって形成されるホルダ２８に搭載された状態でスライドベース２に搭載されている。
【００５０】
図５は、本実施形態の光ピックアップ装置１が備えるホルダ２８とそれに搭載される部材とを示した概略斜視図である。ホルダ２８は略箱型形状に形成されており、その内部には、ハーフミラー２２と、第２コリメートレンズ２３と、第２立ち上げミラー２４と、第２シリンドリカルレンズ２６と、を保持できるように保持部が形成されている。また、第２レーザダイオード２１は、ホルダ２８の所定の外壁に、例えばビス止めによって固定されるようになっている。
【００５１】
ホルダ２８には、第２レーザダイオード２１から出射されるレーザ光がハーフミラー２２へと到達できるように図示しない貫通孔が形成されている。また、ホルダ２８には、光記録媒体で反射されて第２シリンドリカルレンズ２６を通過するレーザ光が、第２フォトディテクタ２７へと到達できるように図示しない貫通孔が形成されている。このように形成されるホルダ２８は、本実施形態においては、スライドベース２に対して動かしながら位置を調整した後に接着固定される。すなわち、本実施形態の光ピックアップ装置１においては、ＤＶＤ／ＣＤ用の光学系を構成する光学部材のうち、対物レンズアクチュエータ３０に搭載されない光学部材は、第２レーザダイオード２１とともにユニット化されてスライドベース２に搭載されるようになっている。
【００５２】
本実施形態の光ピックアップ装置１は以上のように構成されるが、このように構成することによって、光ピックアップ装置１の製造時において、容易且つ適切に波面収差の調整を行うことが可能になる。以下、本実施形態の光ピックアップ装置１における、製造時の波面収差の調整方法の一例を説明する。
【００５３】
光ピックアップ装置１の製造時には、まず、スライドベース２に、第１レーザダイオード１１、及びＢＤ用の光学系を構成する光学部材のうち第１対物レンズ１７を除く光学部材が搭載される。この際、第１レーザダイオード１１からレーザ光を出射し、第１立ち上げミラー１６で反射されるレーザ光を例えば干渉計等で観測しながら、各部材の取り付け位置を調整して、波面収差（コマ収差や非点収差）に関する調整を行い、その後、各部材を固定する。
【００５４】
また、ホルダ２８に、第２レーザダイオード２１及びＤＶＤ／ＣＤ用の光学系を構成する光学部材のうち第２対物レンズ２５を除く光学部材が搭載される。この際、第２レーザダイオード２１からレーザ光を出射し、第２立ち上げミラー２４で反射されるレーザ光を例えば干渉計等で観測しながら、各部材の取り付け位置を調整して、波面収差（コマ収差や非点収差）に関する調整を行い、その後、各部材を固定する。
【００５５】
以上の調整が終わると、次に、対物レンズアクチュエータ３０をスライドベース２の上に搭載する。なお、対物レンズアクチュエータ３０のレンズホルダ３２に保持される第１対物レンズ１７は、ＢＤ用の光学系で発生する非点収差の抑制ができるように、その向きが決められてレンズホルダ３２に保持される。第１対物レンズ１７が有する非点収差の方向は予め分かっており、先の調整時における非点収差との関係で、非点収差を抑制できるように第１対物レンズ１７の向きが決定される。なお、第１対物レンズ１７の非点収差の方向は、例えば、基準光源から第１対物レンズ１７に向けてレーザ光を照射し、第１対物レンズ１７から出射されるレーザ光を干渉計で観測することによって、予め得ることができる。
【００５６】
また、対物レンズアクチュエータ３０のレンズホルダ３２に保持される第２対物レンズ２５は、それが有するコマ収差の方向が、第１対物レンズ１７が有するコマ収差の方向と同一となるようにレンズホルダ３２に保持される。第１対物レンズ１７及び第２対物レンズ２５がそれぞれ有するコマ収差の方向は、例えば、基準光源から対物レンズ１７、２５に向けてレーザ光を照射し、対物レンズ１７、２５から出射されるレーザ光を干渉計で観測することによって得ることが可能である。
【００５７】
スライドベース２に対物レンズアクチュエータ３０を搭載する際には、第１レーザダイオード１１からレーザ光を出射する。そして、第１対物レンズ１７から出射されるレーザ光を干渉計で観測しながら、コマ収差ができる限り抑制されるように対物レンズアクチュエータ３０の傾きを調整する。これにより、ＢＤ用の光学系において発生するコマ収差を最良の状態に調整できる。
【００５８】
その後、ホルダ２８に搭載されることによってユニット化された部分について、スライドベース２に搭載する。この際、第２レーザダイオード２１からレーザ光を出射させ、第２対物レンズ２５から出射されるレーザ光を例えば干渉計で観測しながら非点収差が抑制されるように、ホルダ２８のスライドベース２への搭載状態について調整を行う。調整にあたっては、例えば、治具でホルダ２８を保持し、治具とともにホルダ２８を動かすことによって調整を実施する。なお、スライドベース２上に調整部を形成しておき、調整部によってホルダ２８の搭載状態を調整するようにしても構わない。
【００５９】
なお、コマ収差が抑制されるように調整された対物レンズアクチュエータ３０、及び非点収差が抑制されるように調整されたホルダ２８は、最終的に接着固定される。接着固定には、例えばＵＶ照射により硬化する接着剤等が使用される。
【００６０】
光ピックアップ装置１の製造時に、以上のように波面収差の調整を行うと、ＢＤ用の光学系だけではなく、ＤＶＤ／ＣＤ用の光学系についても、コマ収差と非点収差の発生を適切に抑制できる。すなわち、第２対物レンズ２５は、レンズホルダ３２に保持される際に、第１対物レンズ１７とコマ収差の方向が同一となるように配置されている。このために、第１対物レンズ１７から出射されるレーザ光のコマ収差を抑制するように対物レンズアクチュエータ３０を傾けることによって、第２対物レンズ２５から出射されるレーザ光のコマ収差を抑制することが可能となる。
【００６１】
なお、第１対物レンズ１７から出射されるレーザ光のコマ収差と、第２対物レンズ２５から出射されるレーザ光のコマ収差とは、その絶対値が異なる場合がある。このために、本実施形態の方法では、第２対物レンズ２５から出射されるレーザ光のコマ収差の抑制について最良の状態とならない場合があるが、情報の読み取り時や書き込み時に問題とならないレベルにコマ収差を抑制することは可能である。
【００６２】
また、ＤＶＤ／ＣＤ用の光学系で発生する非点収差については、第２レーザダイオード２１とＤＶＤ／ＣＤ用の光学系の一部とをユニット化するホルダ２８の配置を調整することで抑制できる。そして、ホルダ２８はそのサイズが大きいために、調整作業が行い易い。
【００６３】
すなわち、本実施形態の光ピックアップ装置１は、基準光源を使うことなく、実際に光ピックアップ装置１に搭載される光源を用いて波面収差の調整を行うので、波面収差の調整を適切に行うことが可能である。更に、対物レンズアクチュエータ３０のレンズホルダ３２に搭載される対物レンズの傾きを調整する工程はなく、ユニット化されたホルダ２８の調整を行う構成のために、波面収差の調整が行い易い。
【００６４】
以上に示した実施形態は一例であり、本発明は上述の実施形態に限定されるものではなく、本発明の目的を逸脱しない範囲で種々の変更が可能である。
【００６５】
本実施形態においては、ＤＶＤ／ＣＤ用の光学系の一部をホルダ２８に搭載してユニット化する構成としたが、これに限定される趣旨ではない。すなわち、本実施形態の構成とは逆に、ＢＤ用の光学系の一部をユニット化してスライドベース２に搭載し、ＤＶＤ／ＣＤ用の光学系については、スライドベース２に個々バラバラに配置する構成としても構わない。
【００６６】
また、本実施形態においては、第２フォトディテクタ２７をホルダ２８に搭載しない構成としたが、ホルダ２８に搭載する構成等としても構わない。
【００６７】
また、本実施形態においては、光ピックアップ装置１に、ＢＤ用の光学系とＤＶＤ／ＣＤ用の光学系との２つの光学系を搭載する構成としたが、この構成に限定される趣旨ではない。すなわち、光ピックアップ装置が読み取りや書き込みの対象とする光記録媒体の種類が、本実施形態の構成と異なるものでも当然構わない。更に、光源から出射された光を光記録媒体の記録面へと導く光学系が３つ以上の場合にも、本発明は適用可能である。
【産業上の利用可能性】
【００６８】
本発明によれば、光記録媒体の種類によって選択的に使用される複数の光学系を有する光ピックアップ装置において、製造時に容易且つ適切に波面収差の調整を行うことができる構造を実現できる。このために、本発明は有用である。
【図面の簡単な説明】
【００６９】
【図１】は、本実施形態の光ピックアップ装置を上側から見た場合の概略平面図である。
【図２】は、図２は、本実施形態の光ピックアップ装置を下側から見た場合の概略平面図である。
【図３】は、本実施形態のコリメートレンズ駆動手段の構成を示す概略斜視図である。
【図４】は、本実施形態の対物レンズアクチュエータの構成を示す概略斜視図である。
【図５】は、本実施形態の光ピックアップ装置が備えるホルダとそれに搭載される部材とを示した概略斜視図である。
【符号の説明】
【００７０】
１        光ピックアップ装置
２        スライドベース
１１      第１レーザダイオード（光源）
１６      第１立ち上げミラー
１７      第１対物レンズ
２１      第２レーザダイオード（光源）
２４      第２立ち上げミラー
２５      第２対物レンズ
２８      ホルダ
３０      対物レンズアクチュエータ
３２      レンズホルダ
【図１】
2009140561.tif 000003
【図２】
2009140561.tif 000004
【図３】
2009140561.tif 000005
【図４】
2009140561.tif 000006
【図５】
2009140561.tif 000007